(57)【要約】【課題】ＰＥＴボトルや紙パック等の飲料容器を簡単に倒立姿勢に保持することができる水切りかごを提供する。【解決手段】かご本体２は、底面部及び対向一対の側面部を形成する複数の第１線材１１と、底面部及び他の対向一対の側面部を形成する、底面部において各第１線材１１に交差する複数の第２線材１２とを備えており、底面部の長手方向の一方の端部側に、３本の第１線材１１を部分的に上方側に立ち上がるように屈曲させることによって、紙パックやＰＥＴボトル等の飲料容器の口部内に挿入することで、飲料容器を倒立姿勢に支持する支持突起１Ａが３カ所形成されていると共に、底面部の長手方向の他方の端部側に、隣り合う２本の第１線材１１、１１を、相互に離反する方向に部分的に突出するように湾曲させることによって、ボトル容器の口部を嵌め入れることで、ボトル容器を倒立姿勢に保持する嵌合保持部１Ｂが２カ所形成されている。【選択図】        図１
2010158489.tif 000002
【特許請求の範囲】
【請求項１】
複数の線材によって形成された編目状の底面部を有する水切りかごにおいて、
前記底面部を形成する前記線材を部分的に上方側に立ち上がるように変形させることによって、飲料容器の口部内に挿入することで、飲料容器を倒立姿勢に支持する支持突起を形成したことを特徴とする水切りかご。
【請求項２】
複数の線材によって形成された編目状の底面部を有する水切りかごにおいて、
前記底面部を形成する前記線材を平面的に変形させることによって、ボトル容器の口部を嵌め入れることで、前記ボトル容器を倒立姿勢に保持する嵌合保持部を形成したことを特徴とする水切りかご。
【発明の詳細な説明】
【技術分野】
【０００１】
この発明は、流し台のシンク内等に設置して使用する水切りかごに関する。
【背景技術】
【０００２】
この種の水切りかごは、ステンレス等によって形成された複数の線材を縦横に交差させることによってカゴ状に形成したものであり、洗った食器類をそのまま収容することで、食器類に付いた水を切ることができるようになっている。
【０００３】
こういった水切りかごでは、その底面部が主としてフラットに形成されているが、例えば、図７に示す水切りかご５０のように、複数の線材５１における側面を形成している部分を屈曲させることによって、少なくとも一方の側面に段部５２を形成すると共に、複数の線材５１における底面を形成している部分を屈曲させることによって、外向きの凸部５３を形成したものがある。
【０００４】
この水切りかご５０では、図８に示すように、大きな皿ｄを、線材５１に交差している線材５２の底面を形成している部分間において、隣り合う線材５１の間に立てかけることにより、一方の側面に形成されている段部５２と、底面に形成されている外向きの凸部５３とによって支えられ、立てた状態で水切りすることができる。
【０００５】
【特許文献１】特開２００２−３３０８８０号公報
【発明の開示】
【発明が解決しようとする課題】
【０００６】
ところで、近年は、飲料容器であるＰＥＴボトルや紙パック等をリサイクルするために、使用後のこういった飲料容器を家庭で水洗いするようになってきており、水洗いしたこれらの飲料容器も水切りかごに収納して水切りを行うことになる。
【０００７】
しかしながら、上述したように、この種の水切りかごでは、その底面がフラットに形成されていたり、皿等の食器を立てて収容することができるように、底面を形成している複数の線材を屈曲させることによって外向きの凸部等が形成されているだけなので、ＰＥＴボトルや紙パック等の飲料容器を倒立姿勢で保持することができず、確実に水切りを行うことができないといった問題がある。
【０００８】
特に、こういった水切りかごに、ＰＥＴボトルや紙パック等の飲料容器だけを収容して水切りを行う場合は、食器類等に持たせかけて支えることができないので、上述した問題が顕著に現れることになる。
【０００９】
そこで、この発明の課題は、ＰＥＴボトルや紙パック等の飲料容器を簡単に倒立姿勢に保持することができる水切りかごを提供することにある。
【課題を解決するための手段】
【００１０】
上記の課題を解決するため、請求項１に係る発明は、複数の線材によって形成された編目状の底面部を有する水切りかごにおいて、前記底面部を形成する前記線材を部分的に上方側に立ち上がるように変形させることによって、飲料容器の口部内に挿入することで、飲料容器を倒立姿勢に支持する支持突起を形成したことを特徴とする水切りかごを提供するものである。
【００１１】
また、上記の課題を解決するため、請求項２に係る発明は、複数の線材によって形成された編目状の底面部を有する水切りかごにおいて、前記底面部を形成する前記線材を平面的に変形させることによって、ボトル容器の口部を嵌め入れることで、前記ボトル容器を倒立姿勢に保持する嵌合保持部を形成したことを特徴とする水切りかごを提供するものである。
【発明の効果】
【００１２】
以上のように、請求項１に係る発明の水切りかごでは、底面部に形成された上方側に立ち上がる支持突起を、ＰＥＴボトルや紙パック等の飲料容器の口部内に挿入することで、飲料容器を倒立姿勢に支持することができるので、水洗いした飲料容器を確実に水切りすることができる。
【００１３】
以上のように、請求項２に係る発明の水切りかごでは、底面部を形成する線材を平面的に変形させることによって底面部に形成された嵌合保持部に、ボトル容器の口部を嵌め入れることで、ボトル容器を倒立姿勢に支持することができるので、水洗いしたボトル容器を確実に水切りすることができる。
【発明を実施するための最良の形態】
【００１４】
以下、実施の形態について図面を参照して説明する。図１〜図４に示すように、この水切りかご１は、前端側のコーナ部が大きく湾曲した略長方形状の底面部及びこの底面部の周縁から立ち上がる対向２対の側面部を備えた網目状のかご本体２と、このかご本体２の底面部に固着された脚部３と、かご本体２の側面部に固着された手提げ部４とから構成されており、かご本体２、脚部３及び手提げ部４は、それぞれステンレス製の線材によって形成されている。
【００１５】
前記かご本体２は、底面部及び対向一対の側面部を形成する、底面部の長手方向に延びる複数の第１線材１１と、底面部及び他の対向一対の側面部を形成する、底面部において各第１線材１１に交差するように、底面部の短手方向に延びる複数の第２線材１２と、側面部において第１線材１１及び第２線材１２に交差した状態で、第１線材１１及び第２線材１２に連結された複数の第３線材１３と、第１線材１１及び第２線材１２の端部を連結した第４線材１４とから構成されており、第１線材１１、第２線材１２及び第３線材１３としては、直径２．５ｍｍの断面円形状のものが、第４線材１４としては、直径５．０ｍｍの断面円形状のものがそれぞれ使用されている。
【００１６】
前記かご本体２には、底面部の長手方向の一方の端部側に、３本の第１線材１１を部分的に上方側に立ち上がるように屈曲させることによって、図５に示すように、紙パックＰやＰＥＴボトル等の飲料容器の口部内に挿入することで、飲料容器を倒立姿勢に支持する、幅２０ｍｍ、高さ４０〜７０ｍｍの支持突起１Ａが３カ所形成されていると共に、底面部の長手方向の他方の端部側に、隣り合う２本の第１線材１１、１１を、相互に離反する方向に部分的に突出するように湾曲させることによって、図６に示すように、ボトル容器Ｂの口部を嵌め入れることで、ボトル容器Ｂを倒立姿勢に保持する嵌合保持部１Ｂが２カ所形成されている。なお、湾曲した前記嵌合保持部１Ｂの最大幅は２８ｍｍであり、国産ＰＥＴボトルのスクリューキャップのねじ山部外径と略同じか、僅かに（１ｍｍ程度）大きい寸法に設定されている。
【００１７】
前記脚部３は、第４線材１４と同様の太い線材によって形成された、平行に配置された一対の取付部１５ａ、１５ａと、この一対の取付部１５ａ、１５ａを、その一端側で連結する、下方側に突出した本体部１５ｂとから構成されており、一対の取付部１５ａ、１５ａが２本の第２線材１２に固着されている。
【００１８】
前記手提げ部４は、第４線材１４と同様の太い線材によって門型に形成されており、かご本体２の底面部の短手方向に対向するように、第４線材１４に固着されている。
【００１９】
以上のように、この水切りかご１では、かご本体２の底面部に形成された上方側に立ち上がる支持突起１Ａを、紙パックＰやＰＥＴボトルＢ等の飲料容器の口部内に挿入することで、飲料容器を倒立姿勢に支持することができるので、水洗いした飲料容器を確実に水切りすることができる。
【００２０】
また、かご本体２の底面部に形成された嵌合保持部１Ｂに、ＰＥＴボトルＢ等のボトル容器の口部を嵌め入れることで、ボトル容器Ｂを倒立姿勢に支持することができるので、水洗いしたボトル容器Ｂを確実に水切りすることができる。
【００２１】
なお、上述した実施形態では、かご本体２の底面部の長手方向に延びる第１線材１１によって、支持突起１Ａや嵌合保持部１Ｂを形成しているが、これに限定されるものではなく、かご本体２の底面部の短手方向に延びる第２線材１２によって、支持突起１Ａや嵌合保持部１Ｂを形成することも可能である。
【００２２】
また、上述した実施形態では、支持突起１Ａ及び嵌合保持部１Ｂの双方を備えた水切りかご１について説明したが、これに限定されるものではなく、支持突起１Ａ及び嵌合保持部１Ｂのいずれか一方だけを設けてもよい。
【００２３】
また、上述した実施形態では、第１線材１１〜第４線材１４によって形成されたかご本体２、脚部３及び手提げ部４を備えた水切りかご１について説明したが、本発明の水切りかごは、少なくとも、支持突起や嵌合保持部を有する、複数の線材によって形成された編目状の底面部を備えていればよく、かご本体、脚部３及び手提げ部４の形態や脚部３及び手提げ部４の有無については、特に限定されない。
【００２４】
また、上述した実施形態では、国産ＰＥＴボトルに対応した嵌合保持部１Ｂだけを備えた水切りかごについて説明したが、これに限定されるものではなく、外国産ＰＥＴボトルのねじ山外径（３３ｍｍ）に対応する嵌合保持部等、一つの水切りかごに、寸法や形状等が異なる複数種類の嵌合保持部を設けてもよい。
【００２５】
また、ボトル容器の口部を嵌合保持部１Ｂに嵌め入れる方法としては、斜めに差し込むようにして嵌め入れる他、ボトル容器を垂直にして口部のねじ部を嵌合保持部１Ｂに沿わせた状態で、ボトル容器を回転しながら嵌め入れるようにしてもよい。
【図面の簡単な説明】
【００２６】
【図１】この発明にかかる水切りかごの一実施形態を示す斜視図である。
【図２】同上の水切りかごを示す平面図である。
【図３】同上の水切りかごを示す正面図である。
【図４】同上の水切りかごを示す側面図である。
【図５】同上の水切りかごに形成された支持突起によって紙パックを支持した状態を示す部分正面図である。
【図６】同上の水切りかごに形成された嵌合保持部にボトル容器の口部を嵌め入れることで、ボトル容器を倒立姿勢に支持した状態を示す部分断面図である。
【図７】従来の水切りかごを示す斜視図である。
【図８】同上の水切りかごの使用状態を示す正面図である。
【符号の説明】
【００２７】
１  水切りかご
１Ａ  支持突起
１Ｂ  嵌合保持部
２  かご本体
３  脚部
４  手提げ部
１１  第１線材
１２  第２線材
１３  第３線材
１４  第４線材
１５ａ  取付部
１５ｂ  本体部
【図１】
2010158489.tif 000003
【図２】
2010158489.tif 000004
【図３】
2010158489.tif 000005
【図４】
2010158489.tif 000006
【図５】
2010158489.tif 000007
【図６】
2010158489.tif 000008
【図７】
2010158489.tif 000009
【図８】
2010158489.tif 000010